(57)【要約】【課題】無線品質に基づいて測定帯域幅や測定区間を変更することにより、測定精度を一定に保ちつつ、処理負荷や消費電力の低減を可能とする。【解決手段】本発明に係る移動局ＵＥは、移動局ＵＥにおけるサービングセル及び周辺セルの無線品質を測定するように構成されている測定部１３を具備し、測定部１３は、測定部１３によって測定された無線品質の測定結果に応じて、測定帯域幅及び測定区間の組み合わせを調整するように構成されている。【選択図】図２
2011155592.tif 000002
【特許請求の範囲】
【請求項１】
無線基地局と通信する移動局であって、
前記移動局におけるサービングセル及び周辺セルの無線品質を測定するように構成されている測定部を具備し、
前記測定部は、前記無線品質の測定結果に応じて、測定帯域幅及び測定区間の組み合わせを調整するように構成されていることを特徴とする移動局。
【請求項２】
前記測定部によって測定された前記無線品質の測定結果を用いて、圏内であるか或いは圏外であるかについて判定するように構成されている判定部を更に具備することを特徴とする請求項１に記載の移動局。
【請求項３】
前記測定部によって測定された前記無線品質の測定結果を用いて、セルリセレクションを行うべきか否かについて判定するように構成されている判定部を更に具備することを特徴とする請求項１に記載の移動局。
【請求項４】
所定係数を用いて、前記測定部によって測定された前記無線品質の測定結果をフィルタリングするように構成されているフィルタリング部と、
フィルタリングされた前記測定結果を通知すべきであるか否かについて判定するように構成されている判定部とを更に具備することを特徴とする請求項１に記載の移動局。
【請求項５】
移動局におけるサービングセル及び周辺セルの無線品質を測定する工程を有し、
前記工程において、前記無線品質の測定結果に応じて、測定帯域幅及び測定区間の組み合わせを調整することを特徴とする移動通信方法。
【発明の詳細な説明】
【技術分野】
【０００１】
本発明は、移動局及び移動通信方法に関する。
【背景技術】
【０００２】
複数のセルが設けられている移動通信システムでは、移動局ＵＥ（Ｕｓｅｒ  Ｅｑｕｉｐｍｅｎｔ：ユーザ装置）は、１つのセルから他のセルに移動するときに、セルを切り替えて通信を継続するように構成されている。かかるセルの切り替えは、「Ｍｏｂｉｌｉｔｙ制御」、より具体的には、「セルリセレクション」又は「ハンドオーバ」と呼ばれている。
【０００３】
一般的に、移動通信システムでは、移動局ＵＥが、周辺セルに移動し、かかる移動局ＵＥにおいて、周辺セルからの信号の受信電力が、サービングセル（Ｓｅｒｖｉｎｇ  Ｃｅｌｌ）からの信号の受信電力よりも強くなった場合に、かかる移動局ＵＥは、周辺セルに対して、セルリセレクション又はハンドオーバを行うように構成されている。
【０００４】
セルセレクションは、待ち受け時（すなわち、Ｉｄｌｅ状態）において移動局ＵＥがサービングセルから周辺セルに遷移する処理であり、ハンドオーバは、通信中（すなわち、Ｃｏｎｎｅｃｔｅｄ状態）において移動局ＵＥがサービングセルから周辺セルに遷移する処理である。
【０００５】
すなわち、移動局ＵＥは、待ち受け時であっても、また、サービングセルとの間でデータの送受信を行っている場合であっても、サービングセル及び周辺セルからの信号の受信電力を測定する必要がある。
【０００６】
なお、周辺セル又はサービングセルからの信号の受信電力は、例えば、周辺セル又はサービングセルから送信される「下りリンクの参照信号（Ｒｅｆｅｒｅｎｃｅ  Ｓｉｇｎａｌ）の受信電力（ＲＳＲＰ：Ｒｅｆｅｒｅｎｃｅ  Ｓｉｇｎａｌ  Ｒｅｃｅｉｖｅｄ  Ｐｏｗｅｒ）」である（ＲＳＲＰの定義については、非特許文献１を参照）。
【０００７】
また、移動局ＵＥは、待ち受け時においては、上述したセルリセレクションのための測定に加えて、サービングセルの無線品質に基づき、圏内/圏外判定を行うように構成されている。
【０００８】
例えば、移動局ＵＥは、サービングセルからの信号の受信電力と所定閾値とを比較し、サービングセルからの信号の受信電力が所定閾値以下である場合に、圏外であると判定し、それ以外の場合に、圏内であると判定するように構成されている。
【０００９】
かかる所定閾値は、ネットワーク、すなわち、無線基地局ｅＮＢからシグナリングによって通知されてもよい。例えば、ＬＴＥ（Ｌｏｎｇ  Ｔｅｒｍ  Ｅｖｏｌｕｔｉｏｎ）方式では、かかる所定閾値は、「Ｑｒｘｌｅｖｍｉｎ」と呼ばれる。
【００１０】
ここで、移動局ＵＥが、圏内であるにも関わらず圏外であると判定した場合、本来、移動通信サービスを提供可能なエリアにおいて、かかる移動局ＵＥに対して、移動通信サービスを提供することができなくなるため、ユーザにとってのサービス品質が劣化する。
【００１１】
一方、移動局ＵＥが、圏外であるにも関わらず圏内であると判定した場合、すなわち、本来、通信が成立しないほど無線品質が良好でないにも関わらず圏内であると判定した場合、ユーザにとっては、自分が圏外にいることを認識できないため、かかる場合もサービス品質上好ましくない。
【００１２】
すなわち、圏内/圏外判定においても、適切な測定精度が必要であると考えられる。言い換えれば、測定精度の劣化は、上述したようなサービス品質の劣化を引き起こすことになる。
【００１３】
ここで、移動局ＵＥにおける測定については、特に決まりがあるわけではなく、特に、その測定帯域幅や測定区間（測定時間）については、実装依存となっている。
【００１４】
例えば、ＬＴＥ方式の移動通信システムにおいては、移動局ＵＥが測定に用いる下りリンクの参照信号は、周波数軸方向にも時間軸方向にも分散して配置されており（Ｒｅｆｅｒｅｎｃｅ  Ｓｉｇｎａｌの配置については、非特許文献２を参照）、移動局ＵＥは、ある一定の精度を満たす範囲であれば、その測定帯域幅や測定区間について任意に設定できることになっている。
【先行技術文献】
【非特許文献】
【００１５】
【非特許文献１】３ＧＰＰ  ＴＳ３６.２１４  Ｖ８.７.０（２００９年６月）
【非特許文献２】３ＧＰＰ  ＴＳ３６.２１１  Ｖ８.７.０（２００９年６月）
【特許文献】
【００１６】
【特許文献１】特願２００３-１６３６２７号公報
【特許文献２】特願２００４-３５６７３９号公報
【発明の概要】
【発明が解決しようとする課題】
【００１７】
上述したように、ＬＴＥ方式の移動通信システムにおいては、移動局ＵＥが測定に用いる下りリンクの参照信号（Ｒｅｆｅｒｅｎｃｅ  Ｓｉｇｎａｌ）は、周波数軸方向にも時間軸方向にも分散して配置されており、ある一定の測定精度さえ満たせば、その測定帯域幅や測定区間について任意に設定できることとなっている。
【００１８】
ここで、移動局ＵＥは、処理負荷の低減効果やバッテリーセービング効果を得るため、一般に、できるだけ狭帯域にて、また、短区間においてのみ、サービングセル及び周辺セルにおける無線品質の測定を行うように構成されている。
【００１９】
また、一般に、測定帯域幅が広ければ広いほど、また、測定区間が長ければ長いほど、その測定精度は、向上するが、ある一定の無線品質においては、測定精度の向上にも限界があるため、例えば、移動局ＵＥは、キャリア周波数を中心とする所定帯域（システム帯域幅より狭い）の信号のみを用いて、無線品質の測定を行うように構成されていてもよい。
【００２０】
しかしながら、特に、かかる無線品質が一定以下の環境においては、測定帯域幅を限定してしまうと、測定精度の劣化が起こる。
【００２１】
例えば、各測定帯域幅における測定精度と無線品質との関係は、図７に示すようになることが分かっている。
【００２２】
そこで、本発明は、上述の課題に鑑みてなされたものであり、無線品質に基づいて測定帯域幅や測定区間を変更することにより、測定精度を一定に保ちつつ、処理負荷や消費電力の低減を可能とする移動局及び移動通信方法を提供することを目的とする。
【課題を解決するための手段】
【００２３】
本発明の第１の特徴は、無線基地局と通信する移動局であって、前記移動局におけるサービングセル及び周辺セルの無線品質を測定するように構成されている測定部を具備し、前記測定部は、前記無線品質の測定結果に応じて、測定帯域幅及び測定区間の組み合わせを調整するように構成されていることを要旨とする。
【００２４】
本発明の第２の特徴は、移動通信方法であって、移動局におけるサービングセル及び周辺セルの無線品質を測定する工程を有し、前記工程において、前記無線品質の測定結果に応じて、測定帯域幅及び測定区間の組み合わせを調整することを要旨とする。
【発明の効果】
【００２５】
以上説明したように、本発明によれば、無線品質に基づいて測定帯域幅や測定区間を変更することにより、測定精度を一定に保ちつつ、処理負荷や消費電力の低減を可能とする移動局及び移動通信方法を提供することができる。
【図面の簡単な説明】
【００２６】
【図１】本発明の第１の実施形態に係る移動通信システムの全体構成図である。
【図２】本発明の第１の実施形態に係る移動局の機能ブロック図である。
【図３】本発明の変更例１に係る移動局の動作を示すフローチャートである。
【図４】本発明の変更例１に係る移動局の動作を示すフローチャートである。
【図５】本発明の変更例１に係る移動局の動作を示すフローチャートである。
【図６】本発明の変更例１に係る移動局の動作を示すフローチャートである。
【図７】ＬＴＥ方式の移動通信システムにおける無線品質に対する測定帯域幅ごとの測定精度の一例を表す図である。
【発明を実施するための形態】
【００２７】
（本発明の第１の実施形態に係る移動通信システムの構成）
図１及び図２を参照して、本発明の第１の実施形態に係る移動通信システムの構成について説明する。
【００２８】
図１に示すように、本実施形態に係る移動通信システムは、ＬＴＥ方式の移動通信システムである。かかる移動通信システムでは、無線アクセス方式として、下りリンクでは「ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式」が適用され、上りリンクでは「ＳＣ-ＦＤＭＡ（Ｓｉｎｇｌｅ-Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式」が適用されることが検討されている。
【００２９】
ＯＦＤＭ方式は、特定の周波数帯域を複数の狭い周波数帯域（サブキャリア）に分割し、各周波数帯域上にデータを載せて伝送を行う方式である。かかるＯＦＤＭ方式によれば、サブキャリアを周波数軸上で一部重なりあいながらも互いに干渉することなく密に並べることで、高速伝送を実現し、周波数の利用効率を上げることができる。
【００３０】
また、ＳＣ-ＦＤＭＡ方式は、特定の周波数帯域を分割し、複数の移動局ＵＥの間で異なる周波数帯域を用いて伝送することで、複数の移動局ＵＥの間における干渉を低減することができる伝送方式である。ＳＣ-ＦＤＭＡ方式によれば、送信電力の変動が小さくなる特徴を有することから、移動局ＵＥの低消費電力化及び広いカバレッジを実現することができる。
【００３１】
また、本実施形態に係る移動通信システムでは、無線基地局ｅＮＢが、ＰＤＣＣＨ（Ｐｈｙｓｉｃａｌ  Ｄｏｗｎｌｉｎｋ  Ｃｏｎｔｒｏｌ  Ｃｈａｎｎｅｌ、物理下り制御チャネル）を介して下り制御信号を送信し、ＰＤＳＣＨ（Ｐｈｙｓｉｃａｌ  Ｄｏｗｎｌｉｎｋ  Ｓｈａｒｅｄ  Ｃｈａｎｎｅｌ、物理下り共有データチャネル）を介して下りデータ信号を送信するように構成されている。
【００３２】
一方、本実施形態に係る移動通信システムでは、移動局ＵＥは、ＰＵＳＣＨ（Ｐｈｙｓｉｃａｌ  Ｕｐｌｉｎｋ  Ｓｈａｒｅｄ  Ｃｈａｎｎｅｌ、物理上り共有データチャネル）を介して上りデータ信号を送信するように構成されている。
【００３３】
図２に示すように、移動局ＵＥは、状態管理部１１と、パラメータ取得部１２と、測定部１３と、フィルタリング部１４と、判定部１５と、通知部１６とを具備している。
【００３４】
状態管理部１１は、測定部１３から通知された無線品質の測定結果に基づいて、無線品質の状態を管理するように構成されている。
【００３５】
なお、状態管理部１１は、かかる無線品質の状態に応じて、測定部１３に対して、測定条件（例えば、測定帯域幅及び測定区間の組み合わせ）を変更するための変更閾値又は変更条件を通知するように構成されている。
【００３６】
例えば、かかる変更閾値は、サービングセルの受信品質であってもいいし、周辺セルの受信品質であってもよい。また、例えば、かかる変更条件は、受信レベルが変更閾値を連続Ｎ回下回った場合といった条件であってもよい。
【００３７】
パラメータ取得部１２は、無線基地局ｅＮＢから、Ｍｏｂｉｌｉｔｙ制御に関するパラメータを取得するように構成されている。
【００３８】
例えば、かかるＭｏｂｉｌｉｔｙ制御に関するパラメータには、圏内/圏外判定に用いられる所定閾値である「Ｑｒｘｌｅｖｍｉｎ」が含まれていてもよい。
【００３９】
また、かかるＭｏｂｉｌｉｔｙ制御に関するパラメータには、セルリセレクションに関わるパラメータである「Ｑｈｙｓｔ」や「Ｑｏｆｆｓｅｔ」や「Ｔｒｅｓｅｌｅｃｔｉｏｎ」や、ハンドオーバ制御に関わるパラメータである「Ｔｉｍｅ-ｔｏ-ｔｒｉｇｇｅｒ」や、ヒステリシスや、オフセットや、フィルタ係数等が含まれていてもよい。
【００４０】
ここで、「Ｑｈｙｓｔ」は、セルリセレクションの判定の際に、サービングセルの無線品質に与えるプラスのオフセットであり、「Ｑｏｆｆｓｅｔ」は、セルリセレクションの判定の際に、サービングセルの無線品質に与えるマイナスのオフセットである。
【００４１】
また、「Ｔｒｅｓｅｌｅｃｔｉｏｎ」は、セルリセレクションの判定の際に用いられる時間方向のヒステリシスであり、ハンドオーバにおける「Ｔｉｍｅ-ｔｏ-ｔｒｉｇｇｅｒ」に相当するパラメータである。
【００４２】
また、パラメータ取得部１２は、上述のフィルタ係数を、フィルタリング部１４に通知するように構成されている。
【００４３】
測定部１３は、移動局ＵＥのサービングセル及び周辺セルにおける無線品質を測定するように構成されている。
【００４４】
例えば、測定部１３は、移動局ＵＥのサービングセル及び周辺セルにおける無線品質として、移動局ＵＥのサービングセル及び周辺セルからの信号（例えば、参照信号（ＲＳ：Ｒｅｆｅｒｅｎｃｅ  Ｓｉｇｎａｌ）等）の受信電力を測定するように構成されていてもよい。なお、かかる参照信号の受信電力は、ＲＳＲＰ（Ｒｅｆｅｒｅｎｃｅ  Ｓｉｇｎａｌ  Ｒｅｃｅｉｖｅｄ  Ｐｏｗｅｒ）と呼ばれてもよい。
【００４５】
例えば、物理レイヤでの測定区間（Ｍｅａｓｕｒｅｍｅｎｔ  ｐｅｒｉｏｄ）は、２００ｍｓである。ただし、２００ｍｓの間で実際に測定に用いる区間は、測定精度を保つことができるのであれば、１ｍｓでもいい。
【００４６】
また、周波数軸方向に用いる測定帯域幅（Ｍｅａｓｕｒｅｍｅｎｔ  ｂａｎｄｗｉｄｔｈ）もまた、ある一定の測定精度を満たすことができるのであれば、システム帯域幅でもいいし、システム帯域幅よりも小さくてもいい。
【００４７】
また、測定部１３は、移動局ＵＥのサービングセル及び周辺セルにおける無線品質の測定結果を、フィルタリング部１４に通知するように構成されている。
【００４８】
また、測定部１３は、移動局ＵＥのサービングセル及び周辺セルにおける無線品質の測定結果を、状態管理部１１に通知するように構成されていてもよい。
【００４９】
また、測定部１３は、状態管理部１１から通知された変更閾値又は変更条件に基づいて、測定条件、例えば、測定帯域幅及び測定時間の組み合わせ、すなわち、測定帯域幅及び測定時間の少なくとも一方を変更するように構成されていてもよい。
【００５０】
測定帯域幅は、例えば、ＬＴＥ方式の移動通信システムで定義されているＲＢ（Ｒｅｓｏｕｒｃｅ  Ｂｌｏｃｋ）と呼ばれるサブキャリアの集合体の倍数によって定義されていてもよい。
【００５１】
例えば、測定部１３は、測定帯域幅を６ＲＢとして、上述の無線品質の測定を行っている場合に、サービングセル又は周辺セルのＲＳＲＰが変更閾値をＮ回連続で下回った場合、測定帯域幅を２５ＲＢに変更して、上述の無線品質の測定を行うように構成されていてもよい。
【００５２】
また、測定部１３は、測定帯域幅を６ＲＢとして、上述の無線品質の測定を行っている場合に、サービングセル又は周辺セルのＲＳＲＰが変更閾値を上回った場合、測定帯域幅を３ＲＢに変更して、上述の無線品質の測定を行うように構成されていてもよい。
【００５３】
また、測定区間（測定時間）は、例えば、サブフレーム（Ｓｕｂｆｒａｍｅ）と呼ばれる連続するＯＦＤＭシンボルの倍数によって定義されていてもよい。
【００５４】
例えば、測定部１３は、測定区間を４サブフレームとして、上述の無線品質の測定を行っている場合に、サービングセル又は周辺セルのＲＳＲＰが変更閾値をＮ回連続で下回った場合、測定区間を１０サブフレームに変更して、上述の無線品質の測定を行うように構成されていてもよい。
【００５５】
また、測定部１３は、測定区間を４サブフレームとして、上述の無線品質の測定を行っている場合に、サービングセル又は周辺セルのＲＳＲＰが変更閾値を上回った場合、測定区間を１サブフレームに変更して、上述の無線品質の測定を行うように構成されていてもよい。
【００５６】
なお、ＲＢ及びサブフレームは、「３ＧＰＰ  ＴＳ３６.２１１、Ｖ８.７.０」に規定されている。
【００５７】
また、測定部１３は、状態管理部１１から通知された変更閾値又は変更条件に基づいて、測定条件として、受信ダイバーシチを適用するか否かについて変更するように構成されていてもよい。
【００５８】
さらに、測定部１３は、ＤＲＸ（Ｄｉｓｃｏｎｔｉｎｕｏｕｓ  Ｒｅｃｅｐｔｉｏｎ、間欠受信）周期ごとに、移動局ＵＥのサービングセル及び周辺セルにおける無線品質（例えば、ＲＳＲＰ）を測定するように構成されていてもよい。
【００５９】
フィルタリング部１４は、測定部１３より、移動局ＵＥのサービングセル及び周辺セルにおける無線品質の測定結果を受け取り、パラメータ取得部１２より、フィルタ係数（所定係数）を受け取り、かかる測定結果及びフィルタ係数を用いて、フィルタリング結果を算出するように構成されている。
【００６０】
例えば、フィルタリング部１４は、測定タイミングに関するインデックスを「ｎ」とし、フィルタリング後の測定結果を「Ｆｎ」とし、フィルタ係数を「ｋ」とし、１つ前の測定タイミングにおけるフィルタリング後の測定結果を「Ｆｎ-１」とし、測定部１３における測定結果を「Ｍｎ」とした場合に、
Ｆｎ  ＝  （１−ａ）・Ｆｎ-１  ＋  ａ・Ｍｎ
ａ  ＝  １/２（ｋ/４）
に基づいて、フィルタリングを行うように構成されていてもよい。ここで、フィルタ係数は、「ｋ」ではなく、「ａ」であってもよい。
【００６１】
ここで、上述のフィルタリングでは、フィルタリング後の測定結果「Ｆｎ」を算出する際に、フィルタ係数「ａ」を調整することによって、最新の測定部１３における測定結果「Ｍｎ」及び過去のフィルタリング後の測定結果「Ｆｎ-１」の寄与率を調整するように構成されていてもよい。
【００６２】
判定部１５は、フィルタリング部１４から、フィルタリングされた測定結果を受信し、測定部１３から、フィルタリングされていない測定結果を受信するように構成されている。
【００６３】
判定部１５は、測定部１３によって測定された無線品質の測定結果を用いて、圏内であるか或いは圏外であるかについて判定する、すなわち、圏内/圏外判定を行うように構成されていてもよい。
【００６４】
例えば、待ち受け時（Ｉｄｌｅ状態）において、判定部１５は、上述のフィルタリング部１４からではなく、直接、測定部１３から測定結果を受信して、圏内/圏外判定を行ってもよい。
【００６５】
また、判定部１５は、測定部１３によって測定された無線品質の測定結果を用いて、セルリセレクションを行うべきか否かについて判定するように構成されていてもよい。
【００６６】
例えば、判定部１５は、所定期間以上継続して所定条件が満たされている場合に、セルリセレクションを行うべきであると判定するように構成されていてもよい。
【００６７】
ここで、判定部１５は、かかる所定条件を、以下の（式１）に示す条件としてもよい。かかる所定期間は、「Ｔｒｅｓｅｌｅｃｔｉｏｎ」と呼ばれてもよい。
【００６８】
（周辺セルからの信号の受信電力）＋（キューヒスト）＞（サービングセルからの信号の受信電力）  …  （式１）
また、判定部１５は、上述のフィルタリング部１４から受信したフィルタリングされた測定結果を通知すべきであるか否かについて判定するように構成されていてもよい。
【００６９】
例えば、判定部１５は、所定期間以上継続して所定条件が満たされている場合に、上述の測定結果を通知すべきであると判定するように構成されていてもよい。
【００７０】
ここで、判定部１５は、かかる所定条件を、以下の（式２）に示す条件としてもよい。かかる所定期間は、「Ｔｉｍｅ-ｔｏ-ｔｒｉｇｇｅｒ」と呼ばれてもよい。
【００７１】
（周辺セルからの信号の受信電力）＋（ヒステリシス）＞（サービングセルからの信号の受信電力）  …  （式２）
通知部１６は、判定部１５によって測定結果を送信すべきであると判定された場合、かかる測定結果を無線基地局ｅＮＢに対して通知するように構成されている。
【００７２】
具体的には、通知部１６は、ＰＵＳＣＨを介して、かかる測定結果を無線基地局ｅＮＢに対して通知するように構成されている。かかる測定結果は、「Ｍｅａｓｕｒｅｍｅｎｔ  Ｒｅｐｏｒｔ」と呼ばれてもよい。
【００７３】
（本発明の第１の実施形態に係る移動通信システムの動作）
図３乃至図６を参照して、本発明の第１の実施形態に係る移動通信システムの動作について、具体的には、本発明の第１の実施形態に係る移動局ＵＥの動作について説明する。
【００７４】
第１に、図３を参照して、本発明の第１の実施形態に係る移動局ＵＥにおいて行われる無線品質の測定手順の一例について説明する。
【００７５】
図３に示すように、ステップＳ１０１において、移動局ＵＥは、サービングセル又は周辺セルの無線品質が変更閾値以上であるか否かについて判定する。
【００７６】
かかる無線品質が変更閾値以下であると判定された場合、ステップＳ１０２において、移動局ＵＥは、測定条件を調整する。
【００７７】
ステップＳ１０３において、移動局ＵＥは、調整された測定条件に基づいて、サービングセル及び周辺セルの無線品質を測定する。
【００７８】
一方、かかる無線品質が変更閾値以下でないと判定された場合、ステップＳ１０４において、移動局ＵＥは、現在の測定状況に基づいて、サービングセル及び周辺セルの無線品質を測定する。
【００７９】
第２に、図４を参照して、本発明の第１の実施形態に係る移動局ＵＥにおいて行われる圏内/圏外判定手順の一例について説明する。
【００８０】
図４に示すように、ステップＳ２０１において、移動局ＵＥは、サービングセルからの信号の受信電力を測定する。
【００８１】
ステップＳ２０２において、移動局ＵＥは、サービングセルからの信号の受信電力が所定閾値Ｓを下回っているか否かについて判定する。
【００８２】
ステップＳ２０３において、移動局ＵＥは、サービングセルからの信号の受信電力が所定閾値Ｓを下回っていると判定した場合、サービングセルからの信号の受信電力が所定閾値Ｓを下回っていた回数をカウントし、カウントした回数が回数Ｎを上回っているか否かについて判定する。
【００８３】
ステップＳ２０４において、移動局ＵＥは、カウントした回数が回数Ｎを上回っていると判定した場合、一定期間（例えば、１０秒間）、サービングセル及び周辺セルからの信号の受信電力が所定閾値Ｓを下回っているか否かについて判定する。
【００８４】
ステップＳ２０５において、移動局ＵＥは、所定閾値Ｓを上回るセルを検出しなかった場合、圏外であると判定する。
【００８５】
第３に、図５を参照して、本発明の第１の実施形態に係る移動局ＵＥにおいて行われるセルリセレクション手順の一例について説明する。
【００８６】
図５に示すように、ステップＳ３０１において、移動局ＵＥは、サービングセル及び周辺セルからの信号の受信電力を測定する。
【００８７】
ステップＳ３０２において、移動局ＵＥは、周辺セルからの信号の受信電力について、以下の（式３）が満たされているか否かについて判定する。
【００８８】
（周辺セルからの信号の受信電力）＋（キューヒスト）＞（サービングセルからの信号の受信電力）  …  （式３）
かかる（式３）が満たされていると判定された場合、ステップＳ３において、移動局ＵＥは、該当する周辺セルへ在圏する。
【００８９】
第４に、図６を参照して、本発明の第１の実施形態に係る移動局ＵＥにおいて行われるハンドオーバ手順の一例について説明する。
【００９０】
図６に示すように、ステップＳ４０１において、移動局ＵＥは、サービングセル及び周辺セルからの信号の受信電力を測定する。
【００９１】
ステップＳ４０２において、移動局ＵＥは、周辺セルからの信号の受信電力について、以下の（式４）が満たされているか否かについて判定する。
【００９２】
（周辺セルからの信号の受信電力）＋（ヒステリシス）＞（サービングセルからの信号の受信電力）  …  （式４）
かかる（式４）が満たされていると判定された場合、移動局ＵＥは、上述の測定結果を報告するためのイベントを、ネットワークに対して通知する。なお、かかるイベントは、例えば、ＬＴＥ方式では、「イベント（Ｅｖｅｎｔ）Ａ３」と呼ばれる。
【００９３】
ここで、信号の受信電力（無線品質）Ｆｎとしては、以下の（式５）及び（式６）によって算出された値が用いられるものとする。
【００９４】
具体的には、移動局ＵＥにおいて、上位レイヤが、物理レイヤによる測定値に対して、（式５）に示すフィルタリング処理（Ｌ３  Ｆｉｌｔｅｒｉｎｇ）を行うように構成されている。
【００９５】
Ｆｎ  ＝  （１−ａ）・Ｆｎ-１  ＋  ａ・Ｍｎ  …  （式５）
ａ  ＝  １／２（ｋ/４）  …  （式６）
なお、（式６）における「ｋ」の値は、無線基地局ｅＮＢから移動局ＵＥに対して事前に通知されているものとする。
【００９６】
また、（式５）において、「ｎ」は、測定タイミングに関するインデックスであり、「Ｆｎ」は、フィルタリング後の測定結果であり、「Ｆｎ-１」は、１つ前の測定タイミングにおけるフィルタリング後の測定結果であり、「Ｍｎ」は、前記測定部における測定結果である。
【００９７】
また、ステップＳ４０３において、ネットワークは、イベントＡ３の通知を受信すると、かかる移動局ＵＥが、受信したイベントＡ３に係るセルに対してハンドオーバすべきであることを決定する。
【００９８】
なお、上述した第１の実施形態に係る移動通信システムでは、１種類の無線品質に対する判定基準が用いられたが、複数種類の無線品質に対する判定基準が用いられてもよい。
【００９９】
また、上述した第１の実施形態に係る移動通信システムでは、サービングセル及び周辺セルにおける無線品質として、参照信号の受信電力（ＲＳＲＰ）が用いられたが、代わりに、ＲＳＲＱ（Ｒｅｆｅｒｅｎｃｅ  Ｓｉｇｎａｌ  Ｒｅｃｅｉｖｅｄ  ＱｕａｌｉｔｙＰｏｗｅｒ）やＲＳ-ＳＩＲ（Ｒｅｃｅｉｖｅｄ  Ｓｉｇｎａｌ  Ｓｔｒｅｎｇｔｈ  Ｉｎｄｉｃａｔｏｒ）やＣＱＩ（Ｃｈａｎｎｅｌ  Ｑｕａｌｉｔｙ  Ｉｎｄｉｃａｔｏｒ）が用いられてもよい。或いは、サービングセル及び周辺セルにおける無線品質として、ＲＳＲＰやＲＳＲＱやＲＳ-ＳＩＲやＣＱＩの少なくとも１つが用いられてもよい。
【０１００】
ここで、ＲＳＲＱは、下りリンクの参照信号の受信電力を、下りリンクのＲＳＳＩで割った値である。
【０１０１】
また、ＲＳＳＩは、移動局ＵＥにおいて観測されるトータルの受信レベルであり、熱雑音や他セルからの干渉電力や自セルからの希望信号の電力等の全てを含む受信レベルである（ＲＳＲＱの定義については、３ＧＰＰ  ＴＳ３６.２１４  Ｖ８.７.０参照）。
【０１０２】
また、ＲＳ-ＳＩＲは、下りリンクの参照信号のＳＩＲ（Ｓｉｇｎａｌ-ｔｏ-Ｉｎｔｅｒｆｅｒｅｎｃｅ  Ｒａｔｉｏ）である。
【０１０３】
また、ＣＱＩは、下りリンクの無線品質情報である（ＣＱＩの定義については、３ＧＰＰ  ＴＳ３６.２１３  Ｖ８.７.０参照）。
【０１０４】
（本発明の第１の実施形態に係る移動通信システムの作用・効果）
本発明の第１の実施形態に係る移動通信システムによれば、移動局ＵＥは、無線品質が低い場合であっても、測定精度を一定に保つことが可能となるため、移動局ＵＥが適切なタイミングでネットワークに対して測定結果を報告することによって、通信断を起こすことなく通信を継続することができ、ネットワークにおける負荷や、移動局ＵＥの消費電流の抑制、更にはユーザ利便性を向上することができる。
【０１０５】
以上に述べた本実施形態の特徴は、以下のように表現されていてもよい。
【０１０６】
本実施形態の第１の特徴は、無線基地局ｅＮＢと通信する移動局ＵＥであって、移動局ＵＥにおけるサービングセル及び周辺セルの無線品質を測定するように構成されている測定部１３を具備し、測定部１３は、測定部１３によって測定された無線品質の測定結果に応じて、測定帯域幅及び測定区間の組み合わせを調整するように構成されていることを要旨とする。
【０１０７】
本実施形態の第１の特徴において、測定部１３によって測定された無線品質の測定結果を用いて、圏内であるか或いは圏外であるかについて判定するように構成されている判定部１５を更に具備してもよい。
【０１０８】
本実施形態の第１の特徴において、測定部１３によって測定された無線品質の測定結果を用いて、セルリセレクションを行うべきか否かについて判定するように構成されている判定部１５を更に具備してもよい。
【０１０９】
本実施形態の第１の特徴において、所定係数を用いて、測定部１３によって測定された無線品質の測定結果をフィルタリングするように構成されているフィルタリング部１４と、フィルタリングされた測定結果を通知すべきであるか否かについて判定するように構成されている判定部１５とを更に具備してもよい。
【０１１０】
本実施形態の第２の特徴は、移動通信方法であって、移動局ＵＥにおけるサービングセル及び周辺セルの無線品質を測定する工程を有し、かかる工程において、無線品質の測定結果に応じて、測定帯域幅及び測定区間の組み合わせを調整することを要旨とする。
【０１１１】
なお、上述の無線基地局ｅＮＢ及び移動局ＵＥの動作は、ハードウェアによって実施されてもよいし、プロセッサによって実行されるソフトウェアモジュールによって実施されてもよいし、両者の組み合わせによって実施されてもよい。
【０１１２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１１３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ及び移動局ＵＥ内に設けられていてもよい。また、かかる記憶媒体及びプロセッサは、ディスクリートコンポーネントとして無線基地局ｅＮＢ及び移動局ＵＥ内に設けられていてもよい。
【０１１４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【０１１５】
ｅＮＢ…無線基地局
ＵＥ…移動局
１１…状態管理部
１２…パラメータ取得部
１３…測定部
１４…フィルタリング部
１５…判定部
１６…通知部
【図１】
2011155592.tif 000003
【図２】
2011155592.tif 000004
【図３】
2011155592.tif 000005
【図４】
2011155592.tif 000006
【図５】
2011155592.tif 000007
【図６】
2011155592.tif 000008
【図７】
2011155592.tif 000009